(57)【要約】【課題】  剥離面に歪みやうねりなどがあっても、塗膜のはがし残しがないようにする。【解決手段】  持ち手１に固定する剥離部Ａは、複数の直線的な剥離棒２からなる。これら剥離棒２は硬度とばね性とを備えたばね用材料からなるとともに、互いに独立していて、隣り合う剥離棒と接触するか、あるいはそれら剥離棒２間にわずかなすき間を保っている。そして、これら剥離棒２が相まって、上記剥離部Ａが平板状の長方形にまとめられている。このようにしたので、歪みやうねりあるいはリベットの頭部などの異形の物があっても、個々の剥離棒２がたわんで、剥離部Ａ全体ではそれらに追随することができる。【選択図】  図１
2020171569.tif 000002
【特許請求の範囲】
【請求項１】
互いに独立した複数の剥離棒からなる剥離部を持ち手に固定するとともに、
これら剥離棒が、硬度とばね性とを備えたばね用材料からなる塗膜剥離具。
【請求項２】
各剥離棒は直線的であって、隣り合う剥離棒と互いに接触するか、あるいはそれら剥離棒間にわずかなすき間を保つとともに、これら剥離棒が相まって、上記剥離部が平板状の長方形にまとめられた請求項１に記載の塗膜剥離具。
【発明の詳細な説明】
【技術分野】
【０００１】
この発明は、ペンキなどの塗り替えをするとき、既存の塗膜を剥離するために用いる塗膜剥離具に関する。
【背景技術】
【０００２】
この種のものとして、特許文献１に記載された塗膜剥離具が従来から知られている。
この従来から知られている塗膜剥離具は、持ち手に平板からなる剥離部を固定し、この平板状の剥離部をヘラのように使って既存の塗膜を剥がすものである。
【０００３】
上記のようにした塗膜剥離具を用いるときには、先ず、既存の塗装面である剥離面に剥離剤を塗布して、そこに塗られている塗膜を剥離面から浮き上がらせておく。そして、この浮き上がった塗膜を上記剥離部でかき取るようにする。
【先行技術文献】
【特許文献】
【０００４】
【特許文献１】実用新案登録第３０９０８３３号公報
【発明の概要】
【発明が解決しようとする課題】
【０００５】
上記のようにした剥離具は、平板からなる剥離部に柔軟性がないので、剥離面が歪んでいたりうねっていたりすると、剥離部が上記歪みやうねりに追随できない。また、剥離面にリベットの円弧状の頭部などの異形部分があると、剥離部がその異形に追随できない。
【０００６】
上記のように剥離部が剥離面の形状などに追随できないと、どうしてもはがし残しができてしまう。そのために、はがし残した部分を再度取り除かなければならず、作業効率が極めて悪くなるという問題があった。
また、はがし残した部分は面積が小さいことが多いが、その小さなはがし残しを丁寧に取り除くには、こまごまとした作業が必要になり、さらに手間がかかるという問題もあった。
【０００７】
一方、上記したように事前に剥離剤を塗布するが、この剥離剤は粘度があるので、それが剥離した塗膜とともに上記剥離部の先端にこびり付いてしまう。剥離部の先端に剥離剤や剥離した塗膜がこびり付くと、剥離部の剥離機能が減殺されるので、それらを取り除くために洗浄するか、かき取らなければならない。このようなことからも、剥離作業の効率を悪くするという問題があった。
【０００８】
この発明の目的は、剥離面の歪みうねりあるいは異形に追随できるとともに、剥離剤や剥離した塗膜などがこびり付きにくい塗膜剥離具を提供することである。
【課題を解決するための手段】
【０００９】
第１の発明は、互いに独立した複数の剥離棒からなる剥離部を持ち手に固定するとともに、これら剥離棒は、硬度とばね性とを兼ね備えたばね用材料からなる。
なお、上記ばね用材料とは、ばね鋼、鋼線、ピアノ線、ステンレス鋼線に代表される強さが大きくて粘り強い材料である。
【００１０】
第２の発明における各剥離棒は直線的であって、隣り合う剥離棒と互いに接触するか、あるいはそれら剥離棒間にわずかなすき間を保つとともに、これら剥離棒が相まって、上記剥離部が平板状の長方形にまとめられている。
なお、上記わずかなすき間とは、直線的な剥離棒の長さ方向においてその一部が接触して他の部分が離れているようなすき間や、剥離棒のわずかな歪みや曲がりなどが原因でできたすき間などである。したがって、各剥離棒の間にすき間があっても、剥離部が見かけ上はほとんど一枚板のようにまとめられた形態が保たれる。
【発明の効果】
【００１１】
第１の発明によれば、互いに独立した複数の剥離棒からなる剥離部を持ち手に固定し、しかも、これら剥離棒は、硬度とばね性とを兼ね備えたばね用材料からなるので、例えば、剥離面に歪みやうねりあるいは異形部分があっても、それぞれの剥離棒が歪みやうねりあるいは異形に沿って変形できるので、剥離部の全体でもそれらに追随できる。したがって、はがし残しなどがほとんどなく、作業効率を向上させることができる。
【００１２】
第２の発明は、剥離部を構成する複数の直線的な剥離棒の細い先端に、粘度のある剥離剤や塗膜がこびり付いたりしない。したがって、剥離棒の先端は常に露出していることになるので、その剥離機能が損なわれることがない。
【００１３】
また、剥離棒の間に剥離剤や塗膜が侵入しても、各剥離棒がたわんだりする過程でそれらがこすり出されてしまい、それらが剥離部の先端を覆うようなことがない。このようなことからも、剥離部の剥離機能が損なわれたりしない。
【図面の簡単な説明】
【００１４】
【図１】第１実施形態の要部の斜視図である。
【図２】第２実施形態の要部の斜視図である。
【発明を実施するための形態】
【００１５】
図１に示した第１実施形態の塗膜剥離具は、断面矩形の持ち手１に剥離部Ａを固定している。この剥離部Ａは、直線的な複数の剥離棒２の基端を持ち手１に固定するとともに、これら複数の剥離棒２が相まって見かけ上は長方形の一枚板の形態にまとめられている。
上記のように剥離部Ａを構成する剥離棒２はばね用材料からなる。ばね用材料とは、強さが大きくて粘り強い材料で、ばね鋼、鋼線、ピアノ線、ステンレス鋼線のいずれかを指す。
【００１６】
また、上記剥離棒２は、隣り合う剥離棒と互いに接触するか、それらの間にわずかなすき間を保っている。このわずかなすき間とは、直線的な剥離棒２の長さ方法においてその一部が接触して他の部分が離れているようなすき間や、剥離棒２のわずかな歪みや曲がりなどが原因でできたすき間などである。したがって、各剥離棒２の間にすき間があっても、上記したように剥離部Ａはそれら剥離棒２が相まって見かけ上は長方形の一枚板の形態を保つことになる。
【００１７】
上記のようにした塗膜剥離具を用いるときには、まず、既存の塗装面である剥離面の塗膜に剥離剤を塗布し、その塗膜を剥離面から浮き上がらせておく。
なお、塗膜を浮き上がらせたら、多くの場合にグラインダーのような自動機で塗膜を広い範囲で剥離する。
【００１８】
自動機で広い範囲を一気に剥離したとしても、剥離面の歪みやうねりあるいはリベットの頭部のような異形の部分があると、はがし残しが出てしまう。そこで、このようなはがし残しを手作業ではぎ取るために、この実施形態の塗膜剥離具が使われることが多い。
ただし、この発明の塗膜剥離具としては、その使い方が特に限定されるわけではない。
【００１９】
いずれにしても、この塗膜剥離具を用いるときには、持ち手１を手に持って、剥離部Ａの先端を剥離面にしっかりと押し当てる。このように剥離部Ａを斜め方向から押し当てれば、剥離棒２の弾性でそれぞれがしなるので、剥離部Ａの先端が剥離面に均一に圧接する。
【００２０】
先端を均一に圧接させながら剥離部Ａを移動すれば、上記のように剥離剤の作用で剥離面から浮き上がっている塗膜をかき取ることができる。
しかも、剥離部Ａの各剥離棒２が独立しているので、それら各剥離棒２が剥離面の歪みやうねりあるいは異形の部分などに応じてたわむ。したがって、剥離部Ａ全体で見れば、それが歪みやうねりあるいは異形に追随できることになる。
【００２１】
また、剥離棒２が上記のように独立しているので、剥離棒という細い先端に、はぎ取った塗膜がまつわり難くなる。たとえ、まつわりついたとしても、剥離棒２の先端がはぎとった塗膜で覆われることはなく、剥離機能が損なわれることはない。
【００２２】
さらに、各剥離棒２は隣り合う剥離棒と接触するかあるいはそれらの間にわずかなすき間を保っているので、剥離棒２の間に侵入した剥離剤や塗膜は、各剥離棒２がたわんだりする過程でそれらがこすり出されてしまう。このようなことからも、剥離部２の先端には、剥離剤や塗膜がこびり付き難くなり、剥離部の剥離機能を健全に保つことができる。
【００２３】
図２に示した第２実施形態の塗膜剥離具は、円柱状の持ち手３にその円柱の外周に沿った剥離部Ｂを設けている。この剥離部Ｂは、上記円周方向に所定の間隔を保った複数の剥離棒４からなる。
上記のようにした第２実施形態の塗膜剥離具は、剥離部Ｂを立てた状態で刷毛のようにして使用するものである。
【産業上の利用可能性】
【００２４】
ペンキなどの塗り替えをするとき、既存の塗膜を剥離するために用いる塗膜剥離具である。
【符号の説明】
【００２５】
１，３…持ち手、Ａ，Ｂ…剥離部、２，４…剥離棒
【図１】
2020171569.tif 000003
【図２】
2020171569.tif 000004